(57)【要約】【課題】ハンドオーバ処理時に、ハンドオーバ元の無線基地局ｅＮＢから送信されるユーザデータＡを優先して移動局ＵＥに転送することによって、ユーザデータを正しい順序で移動局ＵＥに転送する。【解決手段】本発明に係るハンドオーバ方法は、ハンドオーバ処理が行われることが決定すると、ハンドオーバ元の無線基地局ｅＮＢが、ハンドオーバ先の無線基地局ｅＮＢに対してハンドオーバ元の無線基地局ｅＮＢに格納されていた移動局ＵＥ宛てのユーザデータＡを転送する工程と、ハンドオーバ先の無線基地局が、経路制御装置に対して経路切替要求を送信する際に所定タイマを起動し、所定タイマが満了するまでに経路制御装置から受信した移動局宛ての第２のユーザデータを格納する工程と、所定タイマが満了した後、ハンドオーバ先の無線基地局が、移動局に対して、格納している第２のユーザデータを転送する工程とを有する。【選択図】図４
2008236269.tif 000002
【特許請求の範囲】
【請求項１】
移動局が、ハンドオーバ元の無線基地局からハンドオーバ先の無線基地局に対してハンドオーバ処理を行うハンドオーバ方法であって、
前記ハンドオーバ処理が行われることが決定すると、前記ハンドオーバ元の無線基地局が、前記ハンドオーバ先の無線基地局に対して、該ハンドオーバ元の無線基地局に格納されていた移動局宛ての第１のユーザデータを転送する工程と、
前記ハンドオーバ先の無線基地局が、前記移動局に対して、前記第１のユーザデータを転送する工程と、
前記ハンドオーバ先の無線基地局が、経路制御装置に対してユーザデータの転送経路を切り替えるように要求する経路切替要求を送信する際に所定タイマを起動し、該所定タイマが満了するまでに前記経路制御装置から受信した移動局宛ての第２のユーザデータを格納する工程と、
前記所定タイマが満了した後、前記ハンドオーバ先の無線基地局が、前記移動局に対して、格納している前記第２のユーザデータを転送する工程とを有することを特徴とするハンドオーバ方法。
【請求項２】
前記所定タイマが満了した後、前記ハンドオーバ元の無線基地局と前記ハンドオーバ先の無線基地局との間のユーザデータを転送するためのＵプレーントンネルを解放することを特徴とする請求項１に記載のハンドオーバ方法。
【請求項３】
前記所定タイマは、前記ユーザデータのＱｏＳごとに別個に設定されていることを特徴とする請求項１に記載のハンドオーバ方法。
【請求項４】
移動局がハンドオーバ処理を行うように構成されている移動通信システムにおいて用いられる無線基地局であって、
前記ハンドオーバ処理が行われることが決定した際に、ハンドオーバ元の無線基地局から、該ハンドオーバ元の無線基地局に格納されていた移動局宛ての第１のユーザデータを受信するように構成されており、
前記移動局に対して、前記第１のユーザデータを転送するように構成されており、
経路制御装置に対してユーザデータの転送経路を切り替えるように要求する経路切替要求を送信する際に所定タイマを起動し、該所定タイマが満了するまでに該経路制御装置から受信した移動局宛ての第２のユーザデータを格納するように構成されており、
前記所定タイマが満了した後、前記移動局に対して、格納している前記第２のユーザデータを転送するように構成されていることを特徴とする無線基地局。
【請求項５】
前記所定タイマが満了した後、前記ハンドオーバ元の無線基地局との間で確立されているユーザデータを転送するためのＵプレーントンネルを解放するように構成されていることを特徴とする請求項４に記載の無線基地局。
【請求項６】
前記所定タイマは、前記ユーザデータのＱｏＳごとに別個に設定されていることを特徴とする請求項４に記載の無線基地局。
【発明の詳細な説明】
【技術分野】
【０００１】
本発明は、移動局がハンドオーバ元の無線基地局からハンドオーバ先の無線基地局に対してハンドオーバ処理を行うハンドオーバ方法、及び、移動局がハンドオーバ処理を行うように構成されている移動通信システムにおいて用いられる無線基地局に関する。
【背景技術】
【０００２】
ＩＭＴ-２０００（Ｉｎｔｅｒｎａｔｉｏｎａｌ  Ｍｏｂｉｌｅ  Ｔｅｌｅｃｏｍｍｕｎｉｃａｔｉｏｎ-２０００）方式の移動通信システムでは、移動局ＵＥ（Ｕｓｅｒ  Ｅｑｕｉｐｍｅｎｔ）が、同一の交換機ＳＧＳＮ（Ｓｅｒｖｉｎｇ  ＧＰＲＳ  Ｓｕｐｐｏｒｔ  Ｎｏｄｅ）配下に接続された２つの無線回線制御装置ＲＮＣ（Ｒａｄｉｏ  Ｎｅｔｗｏｒｋ  Ｃｏｎｔｒｏｌｌｅｒ）に接続された無線基地局ＮｏｄｅＢ間を跨るハンドオーバ（ＳＲＮＳリロケーション）を行う場合には、ロスレスハンドオーバを実現するために、レイヤ２のサブレイヤ（例えば、ＰＤＣＰ：Ｐａｃｋｅｔ  Ｄａｔａ  Ｃｏｎｖｅｒｇｅｎｃｅ  Ｐｒｏｔｏｃｏｌ）を用いて、ハンドオーバ先の無線回線制御装置と移動局ＵＥとの間で、プロトコルの状態同期（ＰＤＣＰのシーケンスナンバー同期）が実施された後、ハンドオーバ元の無線回線制御装置が、ハンドオーバ先の無線回線制御装置に対して、移動局ＵＥに対して未転送であるＰＤＣＰ-ＰＤＵ（Ｐｒｏｔｏｃｏｌ  Ｄａｔａ  Ｕｎｉｔ）を転送するように規定されている。
【０００３】
ここで、ハンドオーバ先の無線回線制御装置は、ハンドオーバ元の無線回線制御装置に蓄積されているＰＤＣＰ-ＰＤＵの転送が完了した後に、交換機ＳＧＳＮ対して、下りリンクのＵプレーンの開通を要求する。
【０００４】
具体的には、図７に示すように、ＩＭＴ-２０００方式の移動通信システムでは、ＳＲＮＳリロケーション開始時に、ハンドオーバ元の無線回線制御装置（Ｓｏｕｒｃｅ  ＲＮＣ）が、ステップＳ１において、交換機ＳＧＳＮに対して、ＲＡＮＡＰ（Ｒａｄｉｏ  Ａｃｃｅｓｓ  Ｎｅｔｗｏｒｋ  Ａｐｐｌｉｃａｔｉｏｎ  Ｐａｒｔ）を用いて、リロケーション開始メッセージ（Ｒｅｌｏｃａｔｉｏｎ  Ｒｅｑｕｅｓｔ）を送信する。かかるリロケーション開始メッセージの送信が、ハンドオーバ元の無線回線制御装置（Ｓｏｕｒｃｅ  ＲＮＣ）に対するユーザデータの転送を停止するトリガとなる。
【０００５】
ステップＳ２において、移動局ＵＥが、ハンドオーバ元の無線回線制御装置からハンドオーバ先の無線回線制御装置（Ｔａｒｇｅｔ  ＲＮＣ）へハンドオーバ処理を行った後、ステップＳ３において、ハンドオーバ元の無線回線制御装置が、ハンドオーバ先の無線回線制御装置に対して、未転送のＰＤＣＰ-ＰＤＵを転送する。
【０００６】
かかるＰＤＣＰ-ＰＤＵの転送完了後に、ステップＳ４において、ハンドオーバ先の無線回線制御装置が、交換機ＳＧＳＮに対して、リロケーション完了コマンド（Ｒｅｌｏｃａｔｉｏｎ  Ｒｅｑｕｅｓｔ  Ａｃｋｎｏｗｌｅｄｇｅ）を送信する。
【０００７】
交換機ＳＧＳＮは、かかるリロケーション完了コマンドの送信をトリガとして、ハンドオーバ先の無線回線制御装置との間のＵプレーンを開通するように構成されていたため、ハンドオーバ処理におけるインタラプションタイムが長くなってしまうという問題点があった。
【０００８】
一方、３ＧＰＰで標準化が進められているＬＴＥ（Ｌｏｎｇ  Ｔｅｒｍ  Ｅｖｏｌｕｔｉｏｎ）方式の移動通信システムでは、図８に示すように、移動局ＵＥが、ハンドオーバ処理を行う際に、ハンドオーバ元の無線基地局（Ｓｏｕｒｃｅ  ｅＮＢ）が、格納している当該移動局ＵＥ宛てのユーザデータを、ハンドオーバ先の無線基地局（Ｔａｒｇｅｔ  ｅＮＢ）へ転送することが検討されている。
【非特許文献１】３ＧＰＰ  ＴＳ２５.３２３
【発明の開示】
【発明が解決しようとする課題】
【０００９】
しかしながら、かかるＬＴＥ方式の移動通信システムでは、高いパフォーマンスが期待されていることから、コアノード（ＳＡＥ  Ｇａｔｅｗａｙ）が、ハンドオーバ先の無線基地局ｅＮＢへのユーザデータの転送が完了するまで、当該移動局宛てのユーザデータの転送経路を切り替えない場合には、ハンドオーバ元の無線基地局ｅＮＢに大量のユーザデータが蓄積されている可能性があり、インタラプションタイムが大幅に増加し、上位レイヤのパフォーマンスに影響する恐れがあるという問題点があった。
【００１０】
また、かかる問題点を避ける為に、ハンドオーバ元の無線基地局ｅＮＢからハンドオーバ先の無線基地局ｅＮＢへのユーザデータＡの転送中に、コアノードＳＡＥ  Ｇａｔｅｗａｙが、ユーザデータＢの転送経路を切り替える場合、コアノードＳＡＥ  Ｇａｔｅｗａｙからハンドオーバ元の無線基地局ｅＮＢを介してハンドオーバ先の無線基地局ｅＮＢへ転送されるユーザデータＡと、転送経路の切替後に、ＳＡＥ  Ｇａｔｅｗａｙからハンドオーバ先の無線基地局ｅＮＢへ転送されるユーザデータＢとが、ハンドオーバ先の無線基地局ｅＮＢで混在し、移動局ＵＥに対するユーザデータの転送順序が不明になり、上位レイヤ（例えば、ＴＣＰ：Ｔｒａｎｓｍｉｓｓｉｏｎ  Ｃｏｎｔｒｏｌ  Ｐｒｏｔｏｃｏｌ）の特性が劣化する恐れがあるという問題点があった。
【００１１】
そこで、本発明は、上述の課題に鑑みてなされたものであり、ハンドオーバ処理時に、ハンドオーバ先の無線基地局ｅＮＢが、コアノードＳＡＥ  Ｇａｔｅｗａｙからのユーザデータを一時的に格納し、ハンドオーバ元の無線基地局ｅＮＢから送信されるユーザデータを優先して移動局ＵＥに転送することによって、ユーザデータを正しい順序で移動局ＵＥに転送することができるハンドオーバ方法及び無線基地局を提供することを目的とする。
【課題を解決するための手段】
【００１２】
本発明の第１の特徴は、移動局が、ハンドオーバ元の無線基地局からハンドオーバ先の無線基地局に対してハンドオーバ処理を行うハンドオーバ方法であって、前記ハンドオーバ処理が行われることが決定すると、前記ハンドオーバ元の無線基地局が、前記ハンドオーバ先の無線基地局に対して、該ハンドオーバ元の無線基地局に格納されていた移動局宛ての第１のユーザデータを転送する工程と、前記ハンドオーバ先の無線基地局が、前記移動局に対して、前記第１のユーザデータを転送する工程と、前記ハンドオーバ先の無線基地局が、経路制御装置に対してユーザデータの転送経路を切り替えるように要求する経路切替要求を送信する際に所定タイマを起動し、該所定タイマが満了するまでに該経路制御装置から受信した移動局宛ての第２のユーザデータを格納する工程と、前記所定タイマが満了した後、前記ハンドオーバ先の無線基地局が、前記移動局に対して、格納している前記第２のユーザデータを転送する工程とを有することを要旨とする。
【００１３】
本発明の第１の特徴において、前記所定タイマが満了した後、前記ハンドオーバ元の無線基地局と前記ハンドオーバ先の無線基地局との間のユーザデータを転送するためのＵプレーントンネルを解放してもよい。
【００１４】
本発明の第１の特徴において、前記所定タイマは、前記ユーザデータのＱｏＳごとに別個に設定されていてもよい。
【００１５】
本発明の第２の特徴は、移動局がハンドオーバ処理を行うように構成されている移動通信システムにおいて用いられる無線基地局であって、前記ハンドオーバ処理が行われることが決定した際に、ハンドオーバ元の無線基地局から、該ハンドオーバ元の無線基地局に格納されていた移動局宛ての第１のユーザデータを受信するように構成されており、前記移動局に対して、前記第１のユーザデータを転送するように構成されており、経路制御装置に対してユーザデータの転送経路を切り替えるように要求する経路切替要求を送信する際に所定タイマを起動し、該所定タイマが満了するまでに該経路制御装置から受信した移動局宛ての第２のユーザデータを格納するように構成されており、前記所定タイマが満了した後、前記移動局に対して、格納している前記第２のユーザデータを転送するように構成されていることを要旨とする。
【００１６】
本発明の第２の特徴において、前記所定タイマが満了した後、前記ハンドオーバ元の無線基地局との間で確立されているユーザデータを転送するためのＵプレーントンネルを解放するように構成されていてもよい。
【００１７】
本発明の第２の特徴において、前記所定タイマは、前記ユーザデータのＱｏＳごとに別個に設定されていてもよい。
【発明の効果】
【００１８】
以上説明したように、本発明によれば、ハンドオーバ処理時に、ハンドオーバ先の無線基地局ｅＮＢが、コアノードＳＡＥ  Ｇａｔｅｗａｙからのユーザデータを一時的に格納し、ハンドオーバ元の無線基地局ｅＮＢから送信されるユーザデータを優先して移動局ＵＥに転送することによって、ユーザデータを正しい順序で移動局ＵＥに転送することができるハンドオーバ方法及び無線基地局を提供することができる。
【発明を実施するための最良の形態】
【００１９】
（本発明の第１の実施形態に係る移動通信システムの構成）
図１及び図２を参照して、本発明の第１の実施形態に係る移動通信システムの構成について説明する。
【００２０】
本実施形態に係る移動通信システムは、ハンドオーバ処理時の通信技術に関し、特に、データ転送（Ｄａｔａ  Ｆｏｒｗａｒｄｉｎｇ）時に、ハンドオーバ先の無線基地局ｅＮＢにおいて、コアノードＳＡＥ（Ｓｙｓｔｅｍ  Ａｒｃｈｉｔｅｃｔｕｒｅ  Ｅｖｏｌｕｔｉｏｎ）  Ｇａｔｅｗａｙから送信された移動局ＵＥ宛てのユーザデータＢ（第２のユーザデータ）を一時的にバッファリングする技術に関する。
【００２１】
図１に示すように、本実施形態では、３ＧＰＰで標準化が進められているＬＴＥ/ＳＡＥのアーキテクチャを具備する移動通信システムを例として説明を行うが、本発明は、かかる移動通信システムに限定されるものではなく、その他のアーキテクチャを具備する移動通信システムにも適用可能である。
【００２２】
図１に示すように、無線アクセスネットワーク（ＲＡＮ：Ｒａｄｉｏ  Ａｃｃｅｓｓ  Ｎｅｔｗｏｒｋ）は、複数のｅＮＢと、ｅＮＢが接続する経路接続装置（コアノード）ＭＭＥ/ＳＡＥ  Ｇａｔｅｗａｙとによって構成されている。
【００２３】
ここで、ＭＭＥ（Ｍｏｂｉｌｉｔｙ  Ｍａｎａｇｅｍｅｎｔ  Ｅｎｔｉｔｙ）は、制御信号を処理するノードであり、ＳＡＥ  Ｇａｔｅｗａｙは、ユーザデータを処理するノードである。
【００２４】
図１に示すように、無線基地局ｅＮＢ間には、Ｘ２インタフェースが規定されており、無線基地局ｅＮＢと経路制御装置ＭＭＥ/ＳＡＥ  Ｇａｔｅｗａｙとの間には、Ｓ１インタフェースが規定される。
【００２５】
特に、Ｘ２インタフェースでは、移動局ＵＥによるハンドオーバ処理時に、ハンドオーバ元の無線基地局ｅＮＢからハンドオーバ先の無線基地局ｅＮＢに対してユーザデータＡ（第１のユーザデータ）を転送するためのＵプレーントンネル（ＧＴＰトンネル）が設定される。
【００２６】
なお、Ｓ１インタフェース及びＸ２インタフェース上では、コントロールプレーン（Ｃプレーン）データ、ユーザプレーン（Ｕプレーン）データの双方を伝送することが可能である。
【００２７】
図２に示すように、本実施形態に係る無線基地局ｅＮＢは、ハンドオーバ制御部１０と、有線伝送部１１と、無線伝送部１２と、データ格納部１３と、待合せ時間管理部１４とを具備している。
【００２８】
ハンドオーバ制御部１０は、移動局ＵＥがハンドオーバ処理を行う際に、無線基地局ｅＮＢ間、及び、無線基地局ｅＮＢと経路制御装置ＭＭＥ/ＳＡＥ  Ｇａｔｅｗａｙとの間の制御を行うように構成されている。
【００２９】
有線伝送部１１は、Ｓ１インタフェース或いはＸ２インタフェースを介して、経路制御装置ＭＭＥ/ＳＡＥ  Ｇａｔｅｗａｙ或いは他の無線基地局ｅＮＢとの間でユーザデータの送受信を行うように構成されている。
【００３０】
有線伝送部１１は、Ｓ１インタフェースを介して、他の無線基地局ｅＮＢ（ハンドオーバ元の無線基地局Ｓｏｕｒｃｅ  ｅＮＢ）から送信されたユーザデータＡ（第１のユーザデータ）を、データ格納部１３のＸ２インタフェース用バッファに格納するように構成されている。
【００３１】
具体的には、有線伝送部１１は、移動局ＵＥによるハンドオーバ処理が行われることが決定した際に、ハンドオーバ制御部１０からの指示に応じて、ハンドオーバ元の無線基地局ｅＮＢとの間で、Ｕプレーントンネル（ＧＴＰトンネル）を設定し、かかるハンドオーバ元の無線基地局ｅＮＢから、設定されたＵプレーントンネル（ＧＴＰトンネル）を介して、かかるハンドオーバ元の無線基地局ｅＮＢに格納されていた移動局宛てのユーザデータＡ（第１のユーザデータ）を受信して、データ格納部１３のＸ２インタフェース用バッファに格納するように構成されている。
【００３２】
ここで、ハンドオーバ元の無線基地局ｅＮＢからハンドオーバ先の無線基地局ｅＮＢに対してユーザデータＡ（第１のユーザデータ）を転送するために用いられる当該Ｕプレーントンネル（ＧＴＰトンネル）は、１本だけ設定されるように構成されていてもよいし、ユーザデータのＱｏＳ（Ｑｕａｌｉｔｙ  Ｏｆ  Ｓｅｒｖｉｃｅ）ごとに複数本設定されるように構成されていてもよい。
【００３３】
なお、Ｘ２インタフェース用バッファに格納されているユーザデータＡ（第１のユーザデータ）は、適宜、ＰＤＣＰバッファ１２ａに転送されるように構成されている。
【００３４】
また、有線伝送部１１は、Ｓ１インタフェースを介して、経路制御装置ＭＭＥ/ＳＡＥ  Ｇａｔｅｗａｙから送信されたユーザデータＢ（第２のユーザデータ）を、データ格納部１３のＳ１インタフェース用バッファに格納するように構成されている。
【００３５】
具体的には、有線伝送部１１は、所定トリガが発生してから所定期間（待合せ時間Ｔｒｅｏｒｄｅｒｉｎｇ）が経過するまでは、すなわち、所定タイマが満了するまでは、経路制御装置ＭＭＥ/ＳＡＥ  Ｇａｔｅｗａｙから送信された移動局ＵＥ宛てのユーザデータＢ（第２のユーザデータ）を、データ格納部１３のＳ１インタフェース用バッファに一時的に格納するように構成されている。
【００３６】
すなわち、有線伝送部１１は、所定トリガが発生した際に、経路制御装置ＭＭＥ/ＳＡＥ  Ｇａｔｅｗａｙから送信された移動局ＵＥ宛てのユーザデータＢ（第２のユーザデータ）を、データ格納部１３のＳ１インタフェース用バッファへの一時的な格納を開始するように構成されている。
【００３７】
ここで、所定トリガとしては、無線基地局ＵＥのハンドオーバ制御部１０が、経路制御装置ＭＭＥ/ＳＡＥ  Ｇａｔｅｗａｙに対してユーザデータの転送経路を切り替えるように要求する経路切替要求を送信すること、具体的には、経路制御装置ＭＭＥ/ＳＡＥ  Ｇａｔｅｗａｙとの間で、Ｕプレーントンネル（ＧＴＰトンネル）を設定するための設定要求である「Ｐａｔｈ  Ｓｗｉｔｃｈ」メッセージを送信すること、或いは、ＳＡＥアクセスベアラを設定するための設定要求である「Ｈａｎｄｏｖｅｒ  Ｃｏｍｐｌｅｔｅ」メッセージを送信すること等が想定されている。
【００３８】
なお、Ｓ１インタフェース用バッファに格納されているユーザデータＢ（第２のユーザデータ）は、所定トリガが発生してから所定時間が経過した後に、ＰＤＣＰバッファ１２ａに転送されるように構成されている。
【００３９】
また、所定トリガが発生してから所定期間（待合せ時間Ｔｒｅｏｒｄｅｒｉｎｇ）が経過した後に、すなわち、所定タイマが満了した後に、ハンドオーバ元の無線基地局ｅＮＢとハンドオーバ先の無線基地局ｅＮＢとの間で確立されているユーザデータを転送するためのトンネル（Ｕプレーントンネル、ＧＴＰトンネル）が解放されるように構成されている。
【００４０】
無線伝送部１２は、スケジューリングされた送信機会において、ＰＤＣＰバッファ１２ａに蓄積しているユーザデータを、無線リンクを介して、移動局ＵＥに対して送信するように構成されている。
【００４１】
待合せ時間管理部１４は、移動局ＵＥによるハンドオーバ処理時に、移動局ＵＥ宛てのユーザデータＢ（第２のユーザデータ）をバッファリングする時間を示す所定時間（待合せ時間Ｔｒｅｏｒｄｅｒｉｎｇ）用タイマ（所定タイマ）を管理するように構成されている。
【００４２】
なお、待合せ時間管理部１４は、かかる所定時間（待合せ時間Ｔｒｅｏｒｄｅｒｉｎｇ）用タイマ（所定タイマ）を、ユーザデータのＱｏＳ（Ｄｉｆｆｓｅｒｖによる優先度等）ごとに別個に設定するように構成されていてもよい。
【００４３】
（本発明の第１の実施形態に係る移動通信システムの動作）
図３乃至図５を参照して、本発明の第１の実施形態に係る移動通信システムの動作について説明する。
【００４４】
第１に、図３を参照して、本発明の第１の実施形態に係る移動通信システムにおいて移動局ＵＥによってハンドオーバ処理が行われる動作の第１の例について説明する。
【００４５】
図３に示すように、ステップＳ１００１において、移動局ＵＥは、接続中の無線基地局Ｓｏｕｒｃｅ  ｅＮＢからの指示、或いは、移動局ＵＥ自らの判断によって、かかる無線基地局Ｓｏｕｒｃｅ  ｅＮＢ（内のセル）と間の無線通信品質を測定し、測定した無線通信品質が所定閾値よりも低下した場合に、かかる無線基地局Ｓｏｕｒｃｅ  ｅＮＢ（セル）に対して、「Ｍｅａｓｕｒｅｍｅｎｔ  Ｒｅｐｏｒｔ」メッセージを送信する。
【００４６】
ステップＳ１００２において、「Ｍｅａｓｕｒｅｍｅｎｔ  Ｒｅｐｏｒｔ」メッセージを受信した無線基地局Ｓｏｕｒｃｅ  ｅＮＢは、移動局ＵＥから報告された無線通信品質の中から、例えば、最も無線通信品質の高い無線基地局Ｔａｒｇｅｔ  ｅＮＢに対して、Ｘ２インタフェースを介して、「Ｈａｎｄｏｖｅｒ  Ｒｅｑｕｅｓｔ」メッセージを送信する。
【００４７】
ステップＳ１００３において、「Ｈａｎｄｏｖｅｒ  Ｒｅｑｕｅｓｔ」メッセージを受信したハンドオーバ先の無線基地局Ｔａｒｇｅｔ  ｅＮＢは、かかる移動局ＵＥを受け入れ可能な場合には、「Ｈａｎｄｏｖｅｒ  Ｒｅｑｕｅｓｔ  Ａｃｋｎｏｗｌｅｄｇｅ」メッセージを、ハンドオーバ元の無線基地局Ｓｏｕｒｃｅ  ｅＮＢに対して送信する。
【００４８】
ステップＳ１００４において、「Ｈａｎｄｏｖｅｒ  Ｒｅｑｕｅｓｔ  Ａｃｋｎｏｗｌｅｄｇｅ」メッセージを受信したハンドオーバ元の無線基地局Ｓｏｕｒｃｅ  ｅＮＢは、かかる移動局ＵＥに対して、ハンドオーバ処理を行うように指示するための「Ｈａｎｄｏｖｅｒ  Ｃｏｍｍａｎｄ」メッセージを送信する。
【００４９】
ステップＳ１００５において、ハンドオーバ元の無線基地局Ｓｏｕｒｃｅ  ｅＮＢは、格納している移動局ＵＥ宛てのユーザデータＡ（第１のユーザデータ）のハンドオーバ先の無線基地局Ｔａｒｇｅｔ  ｅＮＢへの転送を開始する。
【００５０】
ここで、移動局ＵＥは、「Ｈａｎｄｏｖｅｒ  Ｃｏｍｍａｎｄ」メッセージを受信し、ハンドオーバ先の無線基地局Ｔａｒｇｅｔ  ｅＮＢから、上り信号を送信するためのリソースが割り当てられた場合に、ステップＳ１００６において、「Ｈａｎｄｏｖｅｒ  Ｃｏｎｆｉｒｍ」メッセージを、ハンドオーバ先の無線基地局Ｔａｒｇｅｔ  ｅＮＢへ送信する。
【００５１】
ステップＳ１００７Ａにおいて、「Ｈａｎｄｏｖｅｒ  Ｃｏｎｆｉｒｍ」メッセージを受信したハンドオーバ先の無線基地局Ｔａｒｇｅｔ  ｅＮＢは、経路制御装置ＭＭＥ/ＳＡＥ  Ｇａｔｅｗａｙに対して、Ｓ１インタフェース上のＧＴＰ-ｕ（Ｓ１-Ｕ）を用いて、ハンドオーバ元の無線基地局Ｓｏｕｒｃｅ  ｅＮＢからハンドオーバ先の無線基地局Ｔａｒｇｅｔ  ｅＮＢにユーザデータを伝送する転送経路を切り替えるように要求するための設定要求である「Ｐａｔｈ  Ｓｗｉｔｃｈ」メッセージを送信する。
【００５２】
また、ステップＳ１００７Ａと並行して、ハンドオーバ先の無線基地局Ｔａｒｇｅｔ  ｅＮＢは、ステップＳ１００７Ｂにおいて、ハンドオーバ先の無線基地局Ｔａｒｇｅｔ  ｅＮＢと経路制御装置ＭＭＥ/ＳＡＥ  Ｇａｔｅｗａｙとの間で、ＳＡＥアクセスベアラを設定するために、Ｓ１インタフェース上のシグナリング（Ｓ１-Ｃ）を用いて、「Ｈａｎｄｏｖｅｒ  Ｃｏｍｐｌｅｔｅ」メッセージを通知する。
【００５３】
ステップＳ１００８において、ステップＳ１００７Ａを契機として、すなわち、経路制御装置ＭＭＥ/ＳＡＥ  Ｇａｔｅｗａｙに対して「Ｐａｔｈ  Ｓｗｉｔｃｈ」メッセージが送信されたことを契機として、ハンドオーバ先の無線基地局Ｔａｒｇｅｔ  ｅＮＢは、バッファリング時間を規定する待合せ時間（Ｔｒｅｏｒｄｅｒｉｎｇ）用タイマ（所定タイマ）を起動する。
【００５４】
ここで、ハンドオーバ先の無線基地局Ｔａｒｇｅｔ  ｅＮＢは、かかる待合せ時間（Ｔｒｅｏｒｄｅｒｉｎｇ）用タイマの起動中に経路制御装置ＭＭＥ/ＳＡＥ  Ｇａｔｅｗａｙから受信したユーザデータＢ（第２のユーザデータ）についてはバッファリングする。
【００５５】
なお、経路制御装置ＳＡＥ  Ｇａｔｅｗａｙは、ハンドオーバ先の無線基地局Ｔａｒｇｅｔ  ｅＮＢから送信された「Ｐａｔｈ  Ｓｗｉｔｃｈ」メッセージを受信した場合に、移動局ＵＥ宛てのユーザデータＢ（第２のユーザデータ）の転送先を、ハンドオーバ元の無線基地局Ｓｏｕｒｃｅ  ｅＮＢからハンドオーバ先の無線基地局Ｔａｒｇｅｔ  ｅＮＢに切り替える。
【００５６】
また、経路制御装置ＳＡＥ  Ｇａｔｅｗａｙは、ハンドオーバ先の無線基地局Ｔａｒｇｅｔ  ｅＮＢから送信された「Ｈａｎｄｏｖｅｒ  Ｃｏｍｐｌｅｔｅ  Ａｃｋ」メッセージを受信した場合に、移動局ＵＥ宛てのユーザデータＢ（第２のユーザデータ）の転送先を、ハンドオーバ元の無線基地局Ｓｏｕｒｃｅ  ｅＮＢからハンドオーバ先の無線基地局Ｔａｒｇｅｔ  ｅＮＢに切り替えるように構成されていてもよい。
【００５７】
ステップＳ１００９において、経路制御装置ＭＭＥ/ＳＡＥ  Ｇａｔｅｗａｙは、ハンドオーバ先の無線基地局Ｔａｒｇｅｔ  ｅＮＢに対して、Ｓ１インタフェース上のシグナリング（Ｓ１-Ｃ）を用いて、ＳＡＷアクセスベアラの設定が完了したことを通知する「Ｈａｎｄｏｖｅｒ  Ｃｏｍｐｌｅｔｅ  Ａｃｋ」メッセージを送信する。
【００５８】
上述のように、経路制御装置ＳＡＥ  Ｇａｔｅｗａｙが、ハンドオーバ先の無線基地局Ｔａｒｇｅｔ  ｅＮＢから送信された「Ｐａｔｈ  Ｓｗｉｔｃｈ」を受信した場合に、移動局ＵＥ宛てのユーザデータＢ（第２のユーザデータ）をハンドオーバ先の無線基地局Ｔａｒｇｅｔ  ｅＮＢに送信する可能性があるので、経路制御装置ＭＭＥ/ＳＡＥ  Ｇａｔｅｗａｙに対して「Ｐａｔｈ  Ｓｗｉｔｃｈ」メッセージが送信されたことを契機として、ハンドオーバ先の無線基地局Ｔａｒｇｅｔ  ｅＮＢは、経路制御装置ＭＭＥ/ＳＡＥ  ＧａｔｅｗａｙからのユーザデータＢ（第２のユーザデータ）を一時的にバッファリングできる状態に遷移する必要がある。
【００５９】
その後、ハンドオーバ先の無線基地局Ｔａｒｇｅｔ  ｅＮＢは、起動した待合せ時間（Ｔｒｅｏｒｄｅｒｉｎｇ）用タイマが満了したことを契機として、Ｓ１インタフェース用バッファへのユーザデータＢ（第２のユーザデータ）のバッファリングを停止し、Ｓ１インタフェース用バッファに格納されているユーザデータＢ（第２のユーザデータ）を、ＰＤＣＰバッファに転送した後、無線インフェースを介して移動局ＵＥへの転送を開始する。
【００６０】
また、ステップＳ１０１１において、ハンドオーバ先の無線基地局Ｔａｒｇｅｔ  ｅＮＢは、起動した待合せ時間（Ｔｒｅｏｒｄｅｒｉｎｇ）用タイマが満了したことを契機として、ハンドオーバ先の無線基地局Ｓｏｕｒｃｅ  ｅＮＢに対して、Ｘ２インタフェース上で設定されているＵプレーントンネルの解放を要求する「Ｒｅｌｅａｓｅ  Ｒｅｓｏｕｒｃｅ」メッセージを送信する。
【００６１】
第２に、図４を参照して、本発明の第１の実施形態に係る移動通信システムにおいて移動局ＵＥによってハンドオーバ処理が行われる動作の第２の例について説明する。
【００６２】
第２の例は、ステップＳ２００８の動作を除いて、上述した第１の例と同一である。
【００６３】
図４に示すように、第２の例では、ステップＳ２００８において、ステップＳ２００７Ｂを契機として、すなわち、経路制御装置ＭＭＥ/ＳＡＥ  Ｇａｔｅｗａｙに対して「Ｈａｎｄｏｖｅｒ  Ｃｏｍｐｌｅｔｅ」メッセージが送信されたことを契機として、ハンドオーバ先の無線基地局Ｔａｒｇｅｔ  ｅＮＢは、バッファリング時間を規定する待合せ時間（Ｔｒｅｏｒｄｅｒｉｎｇ）用タイマ（所定タイマ）を起動する。
【００６４】
ここで、ハンドオーバ先の無線基地局Ｔａｒｇｅｔ  ｅＮＢは、かかる待合せ時間（Ｔｒｅｏｒｄｅｒｉｎｇ）用タイマの起動中に経路制御装置ＭＭＥ/ＳＡＥ  Ｇａｔｅｗａｙから受信したユーザデータＢ（第２のユーザデータ）についてはバッファリングする。
【００６５】
上述のように、経路制御装置ＳＡＥ  Ｇａｔｅｗａｙが、ハンドオーバ先の無線基地局Ｔａｒｇｅｔ  ｅＮＢから送信された「Ｈａｎｄｏｖｅｒ  Ｃｏｍｐｌｅｔｅ  Ａｃｋ」を受信した場合に、移動局ＵＥ宛てのユーザデータＢ（第２のユーザデータ）をハンドオーバ先の無線基地局Ｔａｒｇｅｔ  ｅＮＢに送信する可能性があるので、経路制御装置ＭＭＥ/ＳＡＥ  Ｇａｔｅｗａｙに対して「Ｈａｎｄｏｖｅｒ  Ｃｏｍｐｌｅｔｅ」メッセージが送信されたことを契機として、ハンドオーバ先の無線基地局Ｔａｒｇｅｔ  ｅＮＢは、経路制御装置ＭＭＥ/ＳＡＥ  ＧａｔｅｗａｙからのユーザデータＢ（第２のユーザデータ）を一時的にバッファリングをできる状態に遷移する必要がある。
【００６６】
第３に、図５を参照して、本発明の第１の実施形態に係る移動通信システムにおいて移動局ＵＥによってハンドオーバ処理が行われる動作の第３の例について説明する。
【００６７】
第３の例は、ステップＳ３００７Ａ乃至Ｓ３００９の動作を除いて、上述した第１の例と同一である。
【００６８】
図５に示すように、第２の例では、ステップＳ３００７Ａにおいて、「Ｈａｎｄｏｖｅｒ  Ｃｏｎｆｉｒｍ」メッセージを受信したハンドオーバ先の無線基地局Ｔａｒｇｅｔ  ｅＮＢは、経路制御装置ＭＭＥ/ＳＡＥ  Ｇａｔｅｗａｙに対して、Ｓ１インタフェース上のＧＴＰ-ｕ（Ｓ１-Ｕ）を用いて、「Ｐａｔｈ  Ｓｗｉｔｃｈ」メッセージを送信する。
【００６９】
ステップＳ３００７Ｂにおいて、「Ｐａｔｈ  Ｓｗｉｔｃｈ」メッセージを受信した経路制御装置ＭＭＥ/ＳＡＥ  Ｇａｔｅｗａｙは、ハンドオーバ先の無線基地局Ｔａｒｇｅｔ  ｅＮＢに対して、Ｓ１インタフェース上のＧＴＰ-ｕ（Ｓ１-Ｕ）を用いて、「Ｐａｔｈ  Ｓｗｉｔｃｈ  Ａｃｋ」メッセージを送信する。
【００７０】
ここで、ステップＳ３００８において、ハンドオーバ先の無線基地局Ｔａｒｇｅｔ  ｅＮＢは、ステップＳ３００７Ａ又はＳ３００７Ｂを契機として、すなわち、経路制御装置ＭＭＥ/ＳＡＥ  Ｇａｔｅｗａｙに対して「Ｐａｔｈ  Ｓｗｉｔｃｈ」メッセージが送信されたこと、或いは、経路制御装置ＭＭＥ/ＳＡＥ  Ｇａｔｅｗａｙから「Ｐａｔｈ  Ｓｗｉｔｃｈ  Ａｃｋ」メッセージを受信したことを契機として、バッファリング時間を規定する待合せ時間（Ｔｒｅｏｒｄｅｒｉｎｇ）用タイマ（所定タイマ）を起動する。
【００７１】
ステップＳ３００９において、「Ｐａｔｈ  Ｓｗｉｔｃｈ  Ａｃｋ」メッセージを受信したハンドオーバ先の無線基地局Ｔａｒｇｅｔ  ｅＮＢは、Ｓ１インタフェース上のシグナリング（Ｓ１-Ｃ）を用いて、「Ｈａｎｄｏｖｅｒ  Ｃｏｍｐｌｅｔｅ」メッセージを通知する。
【００７２】
なお、経路制御装置ＳＡＥ  Ｇａｔｅｗａｙは、ハンドオーバ先の無線基地局Ｔａｒｇｅｔ  ｅＮＢから送信された「Ｐａｔｈ  Ｓｗｉｔｃｈ」メッセージを受信した場合に、移動局ＵＥ宛てのユーザデータＢ（第２のユーザデータ）の転送先を、ハンドオーバ元の無線基地局Ｓｏｕｒｃｅ  ｅＮＢからハンドオーバ先の無線基地局Ｔａｒｇｅｔ  ｅＮＢに切り替える。
【００７３】
また、経路制御装置ＳＡＥ  Ｇａｔｅｗａｙは、ハンドオーバ先の無線基地局Ｔａｒｇｅｔ  ｅＮＢから送信された「Ｐａｔｈ  Ｓｗｉｔｃｈ  Ａｃｋ」メッセージを送信した場合に、移動局ＵＥ宛てのユーザデータＢ（第２のユーザデータ）の転送先を、ハンドオーバ元の無線基地局Ｓｏｕｒｃｅ  ｅＮＢからハンドオーバ先の無線基地局Ｔａｒｇｅｔ  ｅＮＢに切り替えるように構成されていてもよい。
【００７４】
上述のように、経路制御装置ＳＡＥ  Ｇａｔｅｗａｙが、ハンドオーバ先の無線基地局Ｔａｒｇｅｔ  ｅＮＢから送信された「Ｐａｔｈ  Ｓｗｉｔｃｈ」を受信した場合或いは「Ｐａｔｈ  Ｓｗｉｔｃｈ  Ａｃｋ」メッセージを送信した場合に、移動局ＵＥ宛てのユーザデータＢ（第２のユーザデータ）をハンドオーバ先の無線基地局Ｔａｒｇｅｔ  ｅＮＢに送信する可能性があるので、経路制御装置ＭＭＥ/ＳＡＥ  Ｇａｔｅｗａｙに対して「Ｐａｔｈ  Ｓｗｉｔｃｈ」メッセージが送信されたこと或いは「Ｐａｔｈ  Ｓｗｉｔｃｈ  Ａｃｋ」メッセージが受信されたことを契機として、ハンドオーバ先の無線基地局Ｔａｒｇｅｔ  ｅＮＢは、経路制御装置ＭＭＥ/ＳＡＥ  ＧａｔｅｗａｙからのユーザデータＢ（第２のユーザデータ）を一時的にバッファリングできる状態に遷移する必要がある。
【００７５】
第４に、図６を参照して、本発明の第１の実施形態に係る移動通信システムにおいて移動局ＵＥによってハンドオーバ処理が行われる際のハンドオーバ先の無線基地局ｅＮＢの動作について説明する。
【００７６】
図６に示すように、ステップＳ１０１において、ハンドオーバ先の無線基地局ｅＮＢは、経路制御装置ＭＭＥ/ＳＡＥ  Ｇａｔｅｗａｙに対して、ハンドオーバ元の無線基地局ｅＮＢからハンドオーバ先の無線基地局ｅＮＢにユーザデータの転送経路を変更するように要求するための「Ｐａｔｈ  Ｓｗｉｔｃｈ」メッセージ（又は、「Ｈａｎｄｏｖｅｒ  Ｃｏｍｐｌｅｔｅ」メッセージ）を送信したか否かについて判定する。
【００７７】
「Ｐａｔｈ  Ｓｗｉｔｃｈ」メッセージが送信されたと判定された場合、ステップＳ１０２において、ハンドオーバ先の無線基地局ｅＮＢは、「Ｐａｔｈ  Ｓｗｉｔｃｈ」メッセージの送信を契機として、Ｓ１インタフェース（ハンドオーバ先の無線基地局ｅＮＢと経路制御装置ＭＭＥ/ＳＡＥ  Ｇａｔｅｗａｙとの間のアクセスベアラ）から受信したユーザデータＢ（第２のユーザデータ）を一時的にバッファリングすることを開始すると同時に、かかるバッファリングのための待合せ時間（Ｔｒｅｏｒｄｅｒｉｎｇ）用タイマを起動する。
【００７８】
ステップＳ１０３において、ハンドオーバ先の無線基地局ｅＮＢは、Ｓ１インタフェースからのユーザデータＢ（第２のユーザデータ）をバッファリングしている間、ハンドオーバ元の無線基地局ｅＮＢからＸ２インタフェースを介して転送されるユーザデータＡ（第１のユーザデータ）を、移動局ＵＥに対して送信する。
【００７９】
ステップＳ１０４において、ハンドオーバ先の無線基地局ｅＮＢは、予め指定されている待ち合わせ時間（Ｔｒｅｏｒｄｅｒｉｎｇ）用タイマが満了したか否かについて判定する。
【００８０】
かかる待ち合わせ時間（Ｔｒｅｏｒｄｅｒｉｎｇ）用タイマが満了していない場合には、本動作は、ステップＳ１０３に戻り、ハンドオーバ先の無線基地局ｅＮＢは、Ｘ２インタフェースを介してハンドオーバ元の無線基地局ｅＮＢから受信したユーザデータＡ（第１のユーザデータ）を移動局ＵＥに対して転送する。
【００８１】
かかる待ち合わせ時間（Ｔｒｅｏｒｄｅｒｉｎｇ）用タイマが満了している場合には、ステップＳ１０５において、ハンドオーバ先の無線基地局ｅＮＢは、一時的にバッファリングしていたユーザデータＢ（第２のユーザデータ）のバッファリングを停止し、下位レイヤに対する移動局ＵＥ宛てのユーザデータＢ（第２のユーザデータ）の転送を開始する。
【００８２】
ステップＳ１０６において、かかる待ち合わせ時間（Ｔｒｅｏｒｄｅｒｉｎｇ）用タイマの満了を契機として、ハンドオーバ先の無線基地局ｅＮＢは、ハンドオーバ元の無線基地局ｅＮＢに対して、Ｘ２インタフェース上で設定されていたユーザデータ転送用のＵプレーントンネルの解放を要求する「Ｒｅｌｅａｓｅ  Ｒｅｓｏｕｒｃｅ」メッセージを送信する。
【００８３】
（本発明の第１の実施形態に係る移動通信システムの作用・効果）
本発明の第１の実施形態に係る移動通信システムによれば、移動局ＵＥによるハンドオーバ処理時に、ハンドオーバ先の無線基地局ｅＮＢが、Ｓ１インタフェースからのユーザデータＢ（第２のユーザデータ）を一時的にバッファリングすることにより、ハンドオーバ元の無線基地局ｅＮＢからハンドオーバ先の無線基地局ｅＮＢへのユーザデータＡ（第１のユーザデータ）の転送に伴うユーザデータの順序逆転を抑えることができ、高品質な通信を提供することができる。
【００８４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００８５】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局の動作を示すフローチャートである。
【図４】本発明の第１の実施形態に係る移動通信システムの動作を示すシーケンス図である。
【図５】本発明の第１の実施形態に係る移動通信システムの動作を示すシーケンス図である。
【図６】本発明の第１の実施形態に係る移動通信システムの動作を示すシーケンス図である。
【図７】ＩＭＴ-２０００方式の移動通信システムの動作を説明するための図である。
【図８】ＬＴＥ方式の移動通信システムの動作を説明するための図である。
【符号の説明】
【００８６】
ＵＥ…移動局
ＭＭＥ/ＳＡＥ  Ｇａｔｅｗａｙ…コアノード
ｅＮＢ…無線基地局
１０…ハンドオーバ制御部
１１…有線伝送部
１２…無線伝送部
１２ａ…ＰＤＣＰバッファ
１３…データ格納部
１４…待合せ時間管理部
【図１】
2008236269.tif 000003
【図２】
2008236269.tif 000004
【図３】
2008236269.tif 000005
【図４】
2008236269.tif 000006
【図５】
2008236269.tif 000007
【図６】
2008236269.tif 000008
【図７】
2008236269.tif 000009
【図８】
2008236269.tif 000010